(57)【要約】【課題】本発明は、光軸検査不合格となったヘッドライトに対して容易且つ迅速に光軸調整を行うことのできる光軸調整治具及び光軸調整方法を提供することを目的とする。【解決手段】自動車（車両）１２のヘッドライト１４の光軸方向を調整するための光軸調整治具１０を、光線１６を照射する照射手段１８と、照射手段１８をヘッドライト１４に固定する吸盤（固定手段）２０と、ヘッドライト１４に対する光線１６の方向を調節する回動機構（光線方向調節手段）２２と、電球２７と取り換える場合に使用する固定金具４２と、を備えて構成した。【選択図】  図１
2009074895.tif 000002
【特許請求の範囲】
【請求項１】
車両のヘッドライトの光軸方向を調整するための光軸調整治具であり、
光線を照射する照射手段と、該照射手段を前記ヘッドライトに固定する固定手段と、該ヘッドライトに対する該光線の方向を調節する光線方向調節手段と、を備え、
前記車両の前方に、鉛直平面を該車両の前後方向に対して直角方向に設置し、前記ヘッドライトに固定した照射手段から照射した光線と該鉛直平面との交点の位置を調節することにより該ヘッドライトの光軸方向を調整する光軸調整治具。
【請求項２】
車両のヘッドライトの光軸方向を調整する光軸調整方法であり、
前記車両の前方に、鉛直平面を該車両の前後方向に対して直角方向に設置するステップと、
前記ヘッドライトに前記請求項２の光軸調整治具を固定するステップと、
前記ヘッドライトの照射手段から前記鉛直平面に向って光線を照射するステップと、
前記ヘッドライトの方向を変えることにより前記照射した光線と前記鉛直平面との交点の位置を既定方向に既定長さ移動させるステップと、
を含む光軸調整方法。
【請求項３】
前記光軸調整治具を固定するステップが、該光軸調整治具を前記ヘッドライトの表面に固定するステップである請求項２に記載する光軸調整方法。
【請求項４】
前記光軸調整治具を固定するステップが、該光軸調整治具を前記ヘッドライトに固定されている電球と取り換えるステップである請求項２に記載する光軸調整方法。
【発明の詳細な説明】
【技術分野】
【０００１】
本発明は、自動車又はオートバイ等の車両が備えるヘッドライトの光軸調整を行うための光軸調整治具及び光軸調整方法に関する。
【背景技術】
【０００２】
従来から、自動車の車検において、ヘッドライトの光軸検査が行われている。ヘッドライトの光軸の方向はヘッドライトテスタにより検査され、検査不合格の場合には光軸調整する必要が生じる。このヘッドライトテスタについての出願も行われている（例えば、特許文献１参照。）。
【特許文献１】特開２００６−９０９３８号公報
【０００３】
しかし、光軸調整は、ヘッドライトから１０メートル先において、光軸が前方真直の方向から左及び右に２０センチメートル以内の範囲に入るようにしなければならず、更に、１０メートル先において、上限が水平方向で下限がヘッドライト高さの１／５以内の範囲に入るようにしなければならないため、熟練を要する困難な作業であった。
【発明の開示】
【発明が解決しようとする課題】
【０００４】
本発明は、光軸検査不合格となったヘッドライトに対して容易且つ迅速に光軸調整を行うことのできる光軸調整治具及び光軸調整方法を提供することを目的とする。
【課題を解決するための手段】
【０００５】
本発明の光軸調整治具は、車両のヘッドライトの光軸方向を調整するための光軸調整治具であり、光線を照射する照射手段と、該照射手段を前記ヘッドライトに固定する固定手段と、該ヘッドライトに対する該光線の方向を調節する光線方向調節手段と、を備え、前記車両の前方に、鉛直平面を該車両の前後方向に対して直角方向に設置し、前記ヘッドライトに固定した照射手段から照射した光線と該鉛直平面との交点の位置を調節することにより該ヘッドライトの光軸方向を調整することを特徴とする。
【０００６】
また、本発明の光軸調整方法は、車両のヘッドライトの光軸方向を調整する光軸調整方法であり、前記車両の前方に、鉛直平面を該車両の前後方向に対して直角方向に設置するステップと、前記ヘッドライトに前記請求項２の光軸調整治具を固定するステップと、前記ヘッドライトの照射手段から前記鉛直平面に向って光線を照射するステップと、前記ヘッドライトの方向を変えることにより前記照射した光線と前記鉛直平面との交点の位置を既定方向に既定長さ移動させるステップと、を含むことを特徴とする。
【０００７】
また、本発明の光軸調整方法は、前記光軸調整方法において、前記光軸調整治具を固定するステップが、該光軸調整治具を前記ヘッドライトの表面に固定するステップであることを特徴とする。
【０００８】
また、本発明の光軸調整方法は、前記光軸調整方法において、前記光軸調整治具を固定するステップが、該光軸調整治具を前記ヘッドライトに固定されている電球と取り換えるステップであることを特徴とする。
【発明の効果】
【０００９】
本発明に係る光軸調整治具及び光軸調整方法によれば、光軸調整治具をヘッドライトに固定し、車両の前方に、鉛直平面を該車両の前後方向に対して直角方向に設置し、照射手段から照射した光線と該鉛直平面との交点の位置を調節することによりヘッドライトの光軸方向を調整できる。このため、光軸調整治具を使用することにより、容易且つ迅速に光軸調整を行うことができる。
【発明を実施するための最良の形態】
【００１０】
本発明に係る光軸調整治具及び光軸調整方法について図面に基づいて詳しく説明する。図１において、符号１０は本発明の光軸調整治具である。
【００１１】
本発明の光軸調整治具１０は、自動車（車両）１２のヘッドライト１４の光軸方向を調整するための光軸調整治具であり、図１に示すように、光線１６を照射する照射手段１８と、照射手段１８をヘッドライト１４に固定する吸盤（固定手段）２０と、ヘッドライト１４に対する光線１６の方向を調節する回動機構（光線方向調節手段）２２と、電球２７と取り換える場合に使用する固定金具４２と、を備えている。これにより、自動車１２の前方に、鉛直平面を自動車１２の前後方向に対して直角方向に設置し、ヘッドライト１４に固定した照射手段１８から照射した光線１６と鉛直平面との交点の位置を調節することによりヘッドライト１４の光軸方向を調整することができる。
【００１２】
ヘッドライト１４は、従来から自動車１２に設けられて使用されているヘッドライトであり、図２に示すように、自動車１２のボディー２４に螺子２６及びバネ２８により固定されている。螺子２６を正逆方向に回動することにより、電球２７から照射される光の光軸のボディー２４に対する角度を調整できる。
【００１３】
照射手段１８は、発光部３０及びレンズ部３２を備えており、発光部３０から照射した光をレンズ部３２で直線状の光線１６として外へ照射できる。吸盤２０は、ヘッドライト１４の表面に吸着されることにより、照射手段１８をヘッドライト１４に固定できる。回動機構２２は、吸盤２０に対する照射手段１８の角度を変えることにより、ヘッドライト１４に対する光線１６の方向を調節できる。
【００１４】
このような光軸調整治具１０を使用してヘッドライト１４の光軸を調整する光軸調整方法について以下に説明する。
【００１５】
ヘッドライトテスタによる光軸検査の結果が不合格となった自動車１２のヘッドライト１４の光軸調整を行う場合、まず、図３（ｂ）に示すように、自動車１２を壁３４に対して直角方向に停車させる。壁３４には、図３（ａ）に示す方眼紙３６が貼着されており、方眼紙３６が鉛直平面として機能する。よって、自動車１２の前方に、鉛直平面を自動車１２の前後方向に対して直角方向に設置したことになる。なお、ヘッドライト１４から方眼紙３６までの距離Ｌは、１メートルである。
【００１６】
次に、光軸調整治具１０の吸盤２０をヘッドライト１４の表面に押し付けて、図４に示すように、光軸調整治具１０がヘッドライト１４に固定される。この時、照射手段１８のスイッチが入れられて光線１６が方眼紙３６に向って照射される。なお、図４において、符号Ｂは、光軸検査の結果が不合格であったヘッドライト１４の現実の光線方向である。
【００１７】
次に、螺子２６を回動させてヘッドライト１４自体の角度を調節し、これによって、ヘッドライト１４に固定されている光軸調整治具１０から照射される光線１６と方眼紙３６との交点Ｃを既定長さＨだけ移動させる。ここで、既定長さＨとは、既にヘッドライトテスタによって測定された光軸のズレ量から換算される値であり、Ｌ１＝１０メートルにおいてのズレ量Ｈ２を１０で除した値である。ヘッドライト１４から回動機構２２の回動中心までの距離Ｌ２はＬに対して微小であるため、交点Ｃが既定長さＨだけ移動させられることにより、ヘッドライト１４の光軸と方眼紙３６との交点ＤもＨだけ移動させられることとなる。交点ＤがＨだけ移動させられることにより、ヘッドライト１４の光軸が正規の方向に調整される。
【００１８】
このような光軸調整治具１０及び光軸調整方法によれば、光軸調整治具１０をヘッドライト１４の表面に固定することにより、容易且つ迅速にヘッドライト１４の光軸を調整することができる。また、照射手段１８からの光線によって光軸調整するため、ヘッドライト１４自体から照射された光によって光軸調整するのと異なり、交点Ｃが鮮明に見えるため、容易かつ正確に光軸調整を行うことができる。
【００１９】
以上、本発明に係る光軸調整治具及び光軸調整方法の一実施例について説明したが、本発明は上述のものに限定されない。例えば、本発明の光軸調整治具１０の他の使用態様による光軸調整方法であってもよい。この光軸調整方法をヘッドライトカバー３８を有するヘッドライト１４に使用する場合について図６及び図７に基づいて以下に説明する。
【００２０】
この場合、電球２７をヘッドライト１４から取り外して、図６に示すように、光軸調整治具１０を取り付ける。すなわち、光軸調整治具１０をヘッドライト１４に固定されている電球２７と取り換える。なお、光軸調整治具１０のヘッドライト１４への固定は、電球が備えている固定金具４０と同様の固定金具４２によって行なわれ、光軸調整治具１０が備える固定金具４２が固定手段として機能する。
【００２１】
次に、螺子２６を回動させてヘッドライト１４自体の角度を調節し、光軸調整治具１０から照射される光線１６と方眼紙３６との交点Ｃを既定長さＨだけ移動させる。交点Ｃが既定長さＨだけ移動させられることにより、ヘッドライト１４の光軸が正規の方向に調整される。
【００２２】
以上、本発明に係る光軸調整治具及び光軸調整方法の実施例について、図面に基づいて説明したが、本発明に係る光軸調整治具及び光軸調整方法は図示したものに限定されるものではない。例えば、本発明を使用する車両は自動車に限定されず、バイクや電車等であってもよい。
【００２３】
以上、本発明の光軸調整治具及び光軸調整方法の態様を説明したが、本発明はその趣旨を逸脱しない範囲で、当業者の知識に基づき種々の改良、修正、変形を加えた態様で実施し得るものであり、これらの態様はいずれも本発明の範囲に属するものである。
【産業上の利用可能性】
【００２４】
本発明の光軸調整治具及び光軸調整方法によれば、光軸調整治具を使用することにより、容易且つ迅速に光軸調整を行うことができる。このため、車両のヘッドライトの光軸調整を行うために広く利用出来る。
【図面の簡単な説明】
【００２５】
【図１】本発明に係る光軸調整治具の実施例を示す図であり、同図（ａ）は側面図であり、同図（ｂ）は正面図である。
【図２】図１の光軸調整治具を使用して光軸調整を行うヘッドライトの光軸が正規である場合の拡大側面図である。
【図３】図１の光軸調整治具及び方眼紙を使用して光軸調整を行う場合の図であり、同図（ａ）は方眼紙の正面図であり、同図（ｂ）は光軸調整を行うために停止させた自動車の側面図である。
【図４】図１の光軸調整治具を使用して光軸調整を行うヘッドライトの光軸がずれている場合の拡大側面図である。
【図５】図１の光軸調整治具を使用して光軸調整を行うヘッドライトの光軸を調整した後の拡大側面図である。
【図６】本発明の他の実施形態を示す図であり、図１の光軸調整治具を使用して光軸調整を行うヘッドライトの光軸がずれている場合の拡大側面図である。
【図７】図６の実施形態において、図１の光軸調整治具を使用して光軸調整を行うヘッドライトの光軸を調整した後の拡大側面図である。
【符号の説明】
【００２６】
１０；光軸調整治具
１２；自動車（車両）
１４；ヘッドライト
１６；光線
１８；照射手段
２０；吸盤（固定手段）
２２；回動機構（光線方向調節手段）
２４；ボディー
２６；螺子
２７；電球
２８；バネ
３０；発光部
３２；レンズ部
３４；壁
３６；方眼紙
３８；ヘッドライトカバー
【図１】
2009074895.tif 000003
【図２】
2009074895.tif 000004
【図３】
2009074895.tif 000005
【図４】
2009074895.tif 000006
【図５】
2009074895.tif 000007
【図６】
2009074895.tif 000008
【図７】
2009074895.tif 000009